(57)【要約】【課題】足場を踏み外すことなく作業を行うための建築足場用幅木を提供すること。【解決手段】建築足場の一部を構成する踏み板の縁部に沿った足元位置に配置される建築足場用幅木において、所定間隔を開けて配置された左右の支柱３１間に幅木本体板３を配置し、幅木本体板３をその左右上部位置に配設されたクサビ固定部７とフック２１とによって支柱３１に係合させる。クサビ固定部７の第１の湾曲部１３によって支柱３１の外周の一部分を包囲し、支柱３１の前方側を斜めにクサビ板８を打ち込むことによって支柱３１と固定部本体９とを圧着させる。これによって足場用幅木を両支柱３１間に固定することが可能となる。【選択図】        図６
2005188023.tif 000002
【特許請求の範囲】
【請求項１】
所定間隔で立設配置された複数の支柱と、同支柱と交差するように配設された複数の梁部材と、同梁部材又は同支柱に対して架設された通路用の踏み板とから基本的骨格が構築された建築足場であって、同建築足場における前記踏み板の縁部に沿った足元位置に配置される建築足場用幅木において、
所定間隔を開けて配置された第１及び第２の前記支柱間に配置される幅木本体と、
前記第１の支柱と係合可能な前記幅木本体の長手方向の一端又は一端部付近に形成された第１の係合部材と、
前記第２の支柱と係合可能な前記幅木本体の長手方向の他端又は他端部付近に形成された第２の係合部材とを備え、
前記第１の係合部材は前記第１の支柱の外周の一部分を包囲する包囲部と、同包囲部に隣接した位置で保持部材に進退可能に保持されるとともに同包囲部の前方空間に向かって進出する際には同包囲部に対して同第１の支柱の外径分の距離以下に接近しうる先細りに形成されたクサビ部材とを備え、同第１の支柱の外周の一部分が包囲部に包囲された状態で進出する同クサビ部材の押圧力によって同第１の支柱と同包囲部とを圧接させ、もって同第１の係合部材を同第１の支柱に対して固定するようにしたことを特徴とする建築足場用幅木。
【請求項２】
前記包囲部に連続する隣接部位には建築足場の歪みによって前記第１及び第２の支柱の間隔が設定された基準間隔とは異なる間隔となった場合に同第１の支柱の外周が包囲部周縁と干渉しないように逃げ部を形成し、同逃げ部側に偏倚して配置された同第１の支柱はクサビ部材の押圧力によって相対的に同包囲部方向に押動されることを特徴とする請求項１に記載の建築足場用幅木。
【請求項３】
前記第１及び第２の係合部は装着状態において前記幅木本体を基準に前記踏み板の外側方向に張り出していることを特徴とする請求項１又は２に記載の建築足場用幅木。
【発明の詳細な説明】
【技術分野】
【０００１】
本発明は、建築足場の踏み板の縁部に沿った足元位置に配置されるに配設される足場用の幅木に関するものである。
【背景技術】
【０００２】
一般に建築現場等に仮設される建築足場は、所定の間隔で立設された支柱と、梁部材（手摺り、ブラケット等）とを縦横に組み合わせ梁部材に踏み板を架設することで基本的骨格が構築されている。作業者はこの踏み板上で作業をし、また踏み板上を移動する。建築足場の一例として特許文献１を挙げる。
【特許文献１】特開平７−５４４８０号公報
【発明の開示】
【発明が解決しようとする課題】
【０００３】
しかしながら、作業者が作業中に踏板上で足の位置を動かす場合や踏板を移動する場合に必ずしも足下を注視しているわけではない。むしろ作業に没頭すれば足下はそれほど気にせずに踏み板上で行動することが多いといえる。その場合に思わず踏み板の外側に足を踏み外してしまうような場合がある。足場には支柱や手摺りがあるため作業者が落下するわけではないが、体勢が崩れて物が落下したりする原因ともなる。また、作業者の心理的にもこのような踏み外しがあると思うと作業に没頭できない可能性もある。
本発明は、上記課題を解決するためのものである。その目的は、足場を踏み外すことなく作業を行うための建築足場用幅木を提供することにある。
【課題を解決するための手段】
【０００４】
上記課題を解決するために、請求項１の発明では所定間隔で立設配置された複数の支柱と、同支柱と交差するように配設された複数の梁部材と、同梁部材又は同支柱に対して架設された通路用の踏み板とから基本的骨格が構築された建築足場であって、同建築足場における前記踏み板の縁部に沿った足元位置に配置される建築足場用幅木において、所定間隔を空けて配置された第１及び第２の前記支柱間に配置される幅木本体と、前記第１の支柱と係合可能な前記幅木本体の長手方向の一端又は一端部付近に形成された第１の係合部材と、前記第２の支柱と係合可能な前記幅木本体の長手方向の他端又は他端部付近に形成された第２の係合部材とを備え、前記第１の係合部材は前記第１の支柱の外周の一部分を包囲する包囲部と、同包囲部に隣接した位置で保持部材に進退可能に保持されるとともに同包囲部の前方空間に向かって進出する際には同包囲部に対して同第１の支柱の外径分の距離以下に接近しうる先細りに形成されたクサビ部材とを備え、同第１の支柱の外周の一部分が包囲部に包囲された状態で進出する同クサビ部材の押圧力によって同第１の支柱と同包囲部とを圧接させ、もって同第１の係合部材を同第１の支柱に対して固定するようにしたことをその要旨とする。
請求項２の発明では請求項１に記載の発明の構成に加え、前記包囲部に連続する隣接部位には建築足場の歪みによって前記第１及び第２の支柱の間隔が設定された基準間隔とは異なる間隔となった場合に同第１の支柱の外周が包囲部周縁と干渉しないように逃げ部を形成し、同逃げ部側に偏倚して配置された同第１の支柱はクサビ部材の押圧力によって相対的に同包囲部方向に押動されるようにしたことをその要旨とする。
請求項３の発明では、請求項１又は２に記載の発明の構成において、第１及び第２の係合部は装着状態において前記幅木本体を基準に前記踏み板の外側方向に張り出していることをその要旨とする。
【０００５】
このような構成において建築足場用幅木を踏み板の縁部に沿った足元位置に配置させる場合には幅木本体の他端側の第２の係合部材をまず第２の支柱に係合させ、一端側の第１の係合部材を第１の支柱の側方から第１の支柱に接近させる。第１の係合部材の包囲部が第１の支柱の外周の一部分と接する位置（あるいは近傍位置）に配置されるとクサビ部材を打ち込む。クサビ部材は包囲部の前方空間に進出して行き、ある進出位置で第１の支柱と接する。そして、同支柱を包囲部方向に押圧する（相対的にみれば第１の支柱によってクサビ部材が押圧されるともいえる）。第１の支柱と包囲部とはクサビ部材の進出に伴う押圧力によって圧接させられる。
また、包囲部に連続する隣接部位には第１及び第２の支柱の間隔に狂いが生じた場合に対処するための逃げ部があることが好ましい。
例えば包囲部の形状が第１の支柱の外周と一致するような形状（例えば円筒形の第１の支柱に対してその曲率と完全に一致する湾曲部）とされていると建築足場が歪んでいて設定された基準間隔とは異なる間隔となってしまっている場合（つまり間隔が広くなったり狭くなったりする）には第１の支柱が包囲部周縁に当たってうまく包囲部に納まらなくなってしまうケースがありうる。そのため、包囲部に連続する隣接部位を第１の支柱の外周が干渉しないように逃げ部を設けるわけである。逃げ部に偏倚して配置された第１の支柱はクサビ部材の押圧力によって相対的に同包囲部方向に押動される。つまり、上記と同様第１の支柱と包囲部とはクサビ部材の進出に伴う押圧力によって圧接させられる。
また、第１及び第２の係合部は装着状態において前記幅木本体を基準に前記踏み板の外側方向に張り出していることが好ましい。つまり、踏み板の内側は通路となっているためなるべく内側に張り出さないことが好ましい。
【発明の効果】
【０００６】
上記請求項１の発明のように構成すれば、作業者は足場を踏み外すことなく作業を行うことができるとともに片方のクサビ部材のみによって第１の係合部の包囲部と第１の支柱が圧接されることとなるため、クサビ部材の打ち込みという簡単な動作で第１の係合部は第１の支柱にしっかりと固定されることとなり作業効率が向上する。
請求項２に記載の発明では請求項１に記載の発明の効果に加え、建築足場が歪んで第１及び第２の支柱の間隔が本来設定された基準となる間隔とかなり変わってしまったとしてもこの建築足場用幅木を使用することが可能となる。
請求項３に記載の発明では請求項１又は２に記載の発明の効果に加え、第１及び第２の係合部が踏み板側にはみ出すことがないため通路としての踏み板の通行の障害となることがない。
【発明を実施するための最良の形態】
【０００７】
以下、本発明の具体的な実施の形態を図面に基づいて説明する。
尚、以下の説明において内側又は前方とは図４における左方向を、外側又は後方とは同図における右方向を言うものとする。また、左とは図５における左側を、右とは同図における右側を言うものとする。
図１〜図７に示すように、建築足場用幅木（以下、単に幅木という）１は長方形形状（長尺）の一定の厚みの鋼板からなる幅木本体板３を主要構成の一部として備えている。幅木本体板３は補強のために所定パターンで前後に台形形状に折り曲げられて形成されている。幅木本体板３の左右方向に延びる上及び下端縁部４，５は前方に向かって水平に延出され更に先端部が直角に折り曲げられて構成されている。図４に示すように幅木本体板３は側方視において所定の厚みｍ内で折り曲げ形成されており前後方向にはその厚み以上に突出することはない。
【０００８】
幅木本体板３の上端縁部４の右端部寄りには第１の係合部としてのクサビ固定部７が配設されている。クサビ固定部７はクサビ板８と同クサビ板８が保持される固定部本体９から構成されている。クサビ板８は先細りに形成された鋼製の板体であって、その先端寄り上面には脱落防止用の突起１０が形成されている。固定部本体９は所定形状に形成した鋼製の板体をベースに構成されている。固定部本体９は幅木本体板３の右端部から更に右方に張出し状に固着されている。固定部本体９は特異な平面外郭とされている。図５に示すように固定部本体９の外郭において、固定部本体９の内方側面１１は直線状に形成され幅木本体板３の上端縁部４の内側面４ａとほぼ面一となって（板厚分だけ内側にはみ出している）図上右方向に延出されている。内方側面１１の先端（右端）は直角に折れ曲がり外方に向かう。固定部本体９は幅木本体板３に対してこの内方側面１１を基準線として外方に張り出すように配置されている。固定部本体９の外方には包囲部としての湾曲した第１の湾曲部１３が切り欠き状に形成されている。第１の湾曲部１３は右方寄りは曲率の同じ曲線部とされ左側に行くほど逓減されてなだらかな緩曲線部１３ａとされている。第１の湾曲部１３の左終端部から斜め前方に向かっては直線部１４が形成されており、同直線部１４に沿って低い斜壁１５が立設されている。固定部本体９中央付近から斜壁１５方向にかけて緩曲線部１３ａと略平行にクサビホルダー１７が配設されている。図１２に示すように、クサビホルダー１７は固定部本体９中央付近に立設された立設部１７ａと同立設部１７ａ先端を水平方向に屈曲させた水平部１７ｂとからなる鉤状部材である。クサビホルダー１７と斜壁１５とによってクサビ板８が挿通される通路１８が形成される。
前記クサビ板８はクサビホルダー１７に挿通された状態で固定部本体９上に設置されている。図５に示すように、クサビ板８は先端側を外側に向けた状態でクサビホルダー１７に遊嵌されており、第１の湾曲部１３の前方空間を斜めに横切るように進出可能とされている。クサビ板８は先細りに形成されているため、進出に伴って基部寄りが通路１８内でクサビホルダー１７と斜壁１５に干渉しそれ以上の進出が規制される。一方、クサビホルダー１７が後退する際には突起１０がクサビホルダー１７の水平部１７ｂと干渉するため脱落することはない。
【０００９】
幅木本体板３の上端縁部４の左端部寄りには第２の係合部としてのフック２１が配設されている。フック２１は幅木本体板３の左端部から更に左方に張出し状に固着されている。フック２１は上端縁部４に基部２２によって固定されており、基部１９の左方寄り先端部は途中から外方に分枝して内周が半円形状に湾曲形成されたさすまた部２３が形成されている。後述する支柱３１ａ外周に当接するさすまた部２３の内周面を第２の湾曲部２９とする。基部１９の内周側面２４は直線状に形成され幅木本体板３の上端縁部４の内側面４ａとほぼ面一となって（板厚分だけ内側にはみ出している）図上左方向に延出されている。
幅木本体板３の下端縁部５において前記クサビ固定部７の斜め左下方位置及びフック２１の斜め右下方位置にはそれぞれ同形状の下部フック２５が配設されている。下部フック２５は幅木本体板３の左右両端から等距離に配置されている。図４に示すように、下部フック２５は下方に延出された第１の支持部２６と外方に湾曲しながら延出された第２の支持部２７から構成されている。両支持部２６，２７の内周は半円形状に湾曲形成されている。後述するブラケット３２外周に当接する両支持部２６，２７の内周面を第３の湾曲部３０とする。第１の支持部２６の内周側面２８は直線状に形成され幅木本体板３の下端縁部５の内側面５ａ内側面とほぼ面一となって（板厚分だけ内側にはみ出している）図上下方向に延出されている。
【００１０】
次に、このように構成された幅木１の使用方法の一例について説明する。
図６及び図７に示すように、建築現場においては所定の間隔で立設された複数の円柱形状の支柱３１と、同支柱３１に対して直行する方向に延出され同支柱３１に片持ち（もし支柱が前後に平行して配置されていれば両持ち）に支持された梁部材としての複数の円柱形状のブラケット３２とによって縦横に組まれた架構が構成される。そして、ブラケット３２に足場の各階の床面としての踏板３３をフック３４を介して架設させることで被建築物の外壁Ｅに沿って建築足場が構築されこととなる。踏板３３の長手方向縁部あるいは短手方向縁部のいずれにも配置可能であるが、ここでは幅木１は踏板３３の支柱３１寄り長手方向縁部に配設されるものとする。幅木１を装着する際の手順について説明する。
図８に示すように、作業者は内側（踏板３３側）から幅木１を左右の支柱３１ａ，３１ｂに対して接近させていき、まずフック２１側を第２の支柱としての左側の支柱３１ａに係合させる。フック２１はその第２の湾曲部２９が支柱３１ａの外周形状と一致するため、がたつくことなく支柱３１ａに密着する。
【００１１】
次に、フック２１を支点として幅木１をクサビ固定部７側の外方に回動させ、図９に示すように固定部本体９の第１の湾曲部１３を第１の支柱としての右側の支柱３１ｂに係合させる。半円形状の第１の湾曲部１３は支柱３１ｂの外周形状と一致するため、がたつくことなく支柱３１ｂに密着する。このように左右の支柱３１ａ，３１ｂ間に幅木１を挟持させると同時に幅木１全体を下降させ下部フック２５をブラケット３２に係合させる。下部フック２５は第３の湾曲部３０がブラケット３２の外周形状と一致するため、がたつくことなくブラケット３２と密着する。この状態では幅木１はクサビ固定部７とフック２１及び下部フック２５によって作業者が保持しなくとも自立できる（この状態を仮固定の状態とする）。
次いで、このように仮固定された状態で図１０に示すようにクサビ板８を打ち込む。クサビ板８は進出に伴って斜壁１５と支柱３１ｂの間に食い込んでいく。するとクサビ板８の押圧力によって支柱３１ｂと第１の湾曲部１３とが強く圧接されていくこととなる。斜壁１５を基準に見れば支柱３１ｂはクサビ板８によって第１の湾曲部１３方向に押圧されていくこととなる。これによってクサビ固定部７は支柱３１ｂに固定される。
【００１２】
このとき、部材精度がよくなかったり、風等の影響で建築足場が必ずしもきちんと設計通りの寸法で組み上がっていないケースがありうる。そのため、支柱間の間隔が基準長さに対してわずかに広狭が生じてしまうことがある。特に問題なのは左右の支柱３１ａ，３１ｂの間隔が狭くなってしまっている場合である。この場合ではフック２１側を左側の支柱３１ａにぴったりと納めると図１１（ａ）のように右側の支柱３１ｂは第１の湾曲部１３にきっちりと納まらず相対的に図上左方向にずれた位置、すなわち緩曲線部１３ａに偏倚して配置されることとなる。しかし、図１１（ａ）のように少なくともクサビ板８よりも支柱３１ｂが湾曲部１３寄りに配置されている限り（より正確には支柱３１ｂの中央がクサビ板８の進行方向よりもわずかでも湾曲部１３寄りに配置されている限り）クサビ板８を打ち込んでいけば、緩曲線部１３ａに案内されて支柱３１ｂは相対的に湾曲部１３方向に押動されていくこととなり、最終的に支柱３１ｂと湾曲部１３は強く圧接される。
この際に、もし湾曲部１３に緩曲線部１３ａが設けられずに図１１（ｂ）の破線部のように支柱３１ｂの外径にほぼ一致するような曲線で形成されているとすれば、上記左右の支柱３１ａ，３１ｂの間隔が狭くなっている場合に支柱３１ｂが湾曲部１３の縁（図１１（ｂ）の破線部先端）に当接してクサビ板８が打ち込めないことになってしまう。本実施の形態では支柱３１ｂが湾曲部１３に嵌合されていなくともクサビ板８が打ち込めるため作業効率が向上することとなる。
【００１３】
次に幅木１を取り外す場合にはクサビ板８を先端側から叩き、支柱３１ｂと第１の湾曲部１３に対する押圧力を開放して仮固定状態に戻し、上方に持ち上げて下部フック２５とブラケット３２との係合関係を解除し、次いでクサビ固定部７、フック２１の順に左右の支柱３１ａ，３１ｂから外していく。
【００１４】
このように構成することにより本実施の形態は以下のような効果を奏する。
（１）作業者が踏板３３の上を移動する場合又は作業中に足の位置を動かす場合において、上記実施の形態の幅木１が配設されていることにより踏板３３から足を踏み外しにくくなる。従って建築作業に集中でき、作業の効率化を図ることができる。
（２）片方の係合部材のみを固定する、つまりクサビ固定部７側のクサビ板８のみを打ち込むだけで幅木１を固定させることができるため、固定作業が簡単であり幅木１の設置における作業効率が向上する。
（３）第１の湾曲部１３には緩曲線部１３ａが形成されているため支柱３１ｂが第１の湾曲部１３に納まらずに緩曲線部１３ａ位置に移動して配置された場合にもクサビ板８の打ち込みが可能となって支柱３１ｂを第１の湾曲部１３に密接させることができる。
（４）クサビ固定部７、フック２１及び下部フック２５は踏板３３の架設された内側には張り出さず、すべて外側に張り出しているため通行の障害となることがなく通路側を広く開放させることとなる。
【００１５】
なお、この発明は前記実施の形態に限定されるものではなく、次のように変更して具体化することも可能である。
・図１４に示すように幅木本体板３の長さが短い幅木１を使用してコーナー部分、つまり踏板３３の短手方向に配置するようにしてもよい。
・幅木本体板３、クサビ固定部７、フック２１及び下部フック２５の形状は上記実施の形態の形状に限定されるものではなく、その形状、大きさは本発明の趣旨を逸脱しない範囲において自由とする。
・第１の湾曲部１３やその逃げ部としての緩曲線部１３ａの形状も任意に変更可能である。
・クサビ板８の配設方向は図１３に示すように上記実施の形態におけるクサビ固定部７とは逆向きであっても構わない。
・幅木本体２、幅木本体１６等の各部材の材質は金属製としたが、本発明の目的を達成できればその他の素材でも構わない。
その他、本発明の趣旨を逸脱しない態様で実施することは自由である。
【００１６】
本発明の目的を達成するために上記実施の形態から把握できるその他の技術的思想について下記に付記として説明する。
（１）  前記幅木本体から下方には同幅木本体を下方から支持する支持部材が突設され、同保持部材は前記幅木本体を基準に前記踏み板の外側方向に張り出していることを特徴とする請求項３に記載の建築足場用幅木。
上記実施の形態では具体的には下部フック２５が支持部材に相当する。
（２）前記クサビ部材には保持手段から脱落するのを防止するための脱落防止手段が形成されていることを特徴とする請求項１〜３のいずれかに記載の建築足場用幅木。
上記実施の形態では具体的には突起１０や基部側が太くなっていることが脱落防止手段に相当する。
【図面の簡単な説明】
【００１７】
【図１】本発明の実施の形態の建築足場用幅木の内側から見た斜視図。
【図２】同じ建築足場用幅木の外側から見た斜視図。
【図３】同じ建築足場用幅木の正面図。
【図４】同じ建築足場用幅木の側断面図（一部省略）。
【図５】同じ建築足場用幅木の平面図（一部省略）。
【図６】同じ建築足場用幅木を建築足場に装着した状態を示す斜視説明図。
【図７】同じ建築足場用幅木を建築足場に装着した状態を示す平面図。
【図８】同じ建築足場用幅木の取り付け途中の状態を説明する説明図。
【図９】同じ建築足場用幅木の仮固定状態を説明する説明図。
【図１０】同じ建築足場用幅木の固定状態を説明する説明図。
【図１１】（ａ）は同じ建築足場用幅木において支柱がずれた位置に配置された状態の部分平面図、（ｂ）は緩曲線部がない場合を説明する部分平面図。
【図１２】同じ建築足場用幅木のクサビホルダー付近の側面図。
【図１３】他の実施の形態のクサビ固定部の部分平面図。
【図１４】他の実施の形態の建築足場用幅木を建築足場に装着した状態を示す平面図。
【符号の説明】
【００１８】
１…足場用幅木、３…幅木本体としての幅木本体板、７…第１の係合部材としてのクサビ固定部、８…クサビ部材としてのクサビ板、９…固定部本体、１３…包囲部としての第１の湾曲部、１５…保持部材の一部としての斜壁、１７…保持部材の一部としてのクサビホルダー、２１…第２の係合部材としてのフック、３１（３１ａ，３１ｂ）…支柱、３２…梁部材としてのブラケット、３３…踏板。
【図１】
2005188023.tif 000003
【図２】
2005188023.tif 000004
【図３】
2005188023.tif 000005
【図４】
2005188023.tif 000006
【図５】
2005188023.tif 000007
【図６】
2005188023.tif 000008
【図７】
2005188023.tif 000009
【図８】
2005188023.tif 000010
【図９】
2005188023.tif 000011
【図１０】
2005188023.tif 000012
【図１１】
2005188023.tif 000013
【図１２】
2005188023.tif 000014
【図１３】
2005188023.tif 000015
【図１４】
2005188023.tif 000016